(57)【特許請求の範囲】
【請求項１】
発信電話番号通知サービスを受けることが可能なファクシミリ装置において、
外部端末装置を接続するための外部装置接続手段と；
公衆回線を接続するための公衆回線接続手段と；
上記外部装置接続手段に接続される外部端末装置が、上記発信電話番号通知サービスに対応するか否かを登録する登録手段と；
上記登録手段により登録された情報に応じて、上記発信電話番号通知サービスにより通知される電話番号情報が上記外部端末装置に通知されるように制御する制御手段と；
を有することを特徴とするファクシミリ装置。
【請求項２】
請求項１において、
上記制御手段は、上記登録手段により、上記外部端末装置が上記発信電話番号通知サービスに対応すると登録されている場合には、上記ファクシミリ装置が上記外部端末装置に対して発信電話番号通知サービスのシーケンスを実行し、上記公衆回線を介して通知された電話番号情報を、上記外部端末装置に通知することを特徴とするファクシミリ装置。
【請求項３】
請求項１において、
上記制御手段は、上記登録手段により、上記外部端末装置が上記発信電話番号通知サービスに対応しないと登録されている場合には、上記外部端末装置に電話番号情報を通知することなしに、上記公衆回線を上記外部端末装置に接続することを特徴とするファクシミリ装置。
【請求項４】
請求項１において、
電話番号情報に対応してファクシミリ通信を行う宛先を登録する第２の登録手段を有し、
上記制御手段は、発信電話番号通知サービスにより通知された電話番号情報が上記第２の登録手段により登録されたファクシミリ通信を行う宛先に対応する場合は、ファクシミリ通信を実行し、発信電話番号通知サービスにより通知された電話番号情報が上記第２の登録手段により登録されたファクシミリ通信を行う宛先に対応しない場合は、上記電話番号情報が上記外部端末装置に通知されるように制御することを特徴とするファクシミリ装置。
【請求項５】
発呼する宛先に対応して、発信電話番号通知サービスを実行するか否かを登録する登録手段を有し、上記登録手段の情報に基づいて、呼接続の制御を変えることを特徴とするファクシミリ装置。
【請求項６】
請求項５において、
上記登録手段の情報に基づいて、初期識別時間を変えることを特徴とするファクシミリ装置。
【請求項７】
請求項５または６において、
上記登録手段により上記宛先が発信電話番号通知サービスを実行すると登録されている場合には、発信電話番号通知サービスを実行しないと登録されている場合より、初期識別時間を長くすることを特徴とするファクシミリ装置。
【請求項８】
請求項５において、
上記登録手段により上記宛先が発信電話番号通知サービスを実行すると登録されている場合には、リングバックトーンを検出したときに初期識別時間を再設定し、発信電話番号通知サービスを実行しないと登録されている場合には、上記リングバックトーンの検出によらず、ダイヤル終了後に初期識別時間の設定をすることを特徴とするファクシミリ装置。
【請求項９】
請求項８において、
上記宛先が上記発信電話番号通知サービスを実行すると登録されている場合に、上記リングバックトーンを所定時間以上連続して検出すると、呼切断へ移行することを特徴とするファクシミリ装置。
【請求項１０】
発信電話番号通知サービスを受けることが可能なファクシミリ装置において、
外部端末装置を接続するための外部装置接続手段と；
公衆回線を接続するための公衆回線接続手段と；
上記外部装置接続手段に接続される外部端末装置が、上記発信電話番号通知サービスに対応するか否かを登録する登録手段と；
上記登録手段により登録された情報に応じて、上記発信電話番号通知サービスにおける起動信号に対する上記外部端末装置の応答を判別し、該応答後に上記公衆回線を介して通知される電話番号情報を監視する監視手段を有することを特徴とするファクシミリ装置。
【請求項１１】
請求項１０において、
上記ファクシミリ装置は、複数種類の発信電話番号通知サービスを受けることが可能であり、
上記ファクシミリ装置は、更に、上記公衆回線を介して提供される発信電話番号通知サービスの種類を設定する設定手段を有し、
上記監視手段は、上記設定手段による設定に応じて、上記判別処理を実行することを特徴とするファクシミリ装置。
【請求項１２】
請求項１０において、
上記外部装置接続手段に接続される外部端末装置が、上記発信電話番号通知サービスに対応すると登録されている場合に、上記監視手段による監視処理を行い、上記発信電話番号通知サービスに対応しないと登録されている場合には、上記起動信号に対して上記ファクシミリ装置が応答する応答手段を有することを特徴とするファクシミリ装置。
【請求項１３】
請求項１０において、
上記起動信号に対して上記外部端末装置が、所定時間経過しても応答しない場合に、上記起動信号に対して上記ファクシミリ装置が応答する応答手段を有することを特徴とするファクシミリ装置。
【請求項１４】
請求項１０において、
上記監視手段により監視された電話番号情報に応じて、上記電話番号情報の通知後に送られてくる呼び出し信号に対する着信処理を行うことを特徴とするファクシミリ装置。
【発明の詳細な説明】
【０００１】
【発明の属する技術分野】
本発明は、特に発信電話番号通知サービスを受けることが可能なファクシミリ装置に関するものである。
【０００２】
【従来の技術】
従来より、英国や米国においては、いわゆるＣａｌｌｅｒ  ＩＤによる発信電話番号通知サービスが提供されている。これは、交換機により、呼出信号と呼出信号の間に発信側の電話番号情報が通知されるものである。そして、このような発信電話番号通知サービスを受けることが可能なファクシミリ装置では、通知された発信電話番号により呼接続を変えるような制御を実現していた。
【０００３】
【発明が解決しようとする課題】
しかしながら、従来のＣａｌｌｅｒ  ＩＤサービスにおいては、被呼側のファクシミリ装置のＮＣＵに接続された端末が、Ｃａｌｌｅｒ  ＩＤサービスに対応しているか否かとは無関係に、ファクシミリ装置で発呼側の電話番号を検出し、ファクシミリ通信しないケースでは、回線を端末に接続するのみで、端末への接続制御が可能であった。これは、Ｃａｌｌｅｒ  ＩＤサービスがない場合に比べ、呼接続に関してアッパーコンパチブルであるからである。
【０００４】
しかしながら、日本国で実施される発信電話番号通知サービスは、ＩＤ受信端末起動信号により直流ループを形成して１次応答した後、発ＩＤ信号を受信し、次いで、直流ループを断した後、呼出信号により直流ループを形成し、２次応答するものであり、発信電話番号通知サービスに対応していない従来の装置における呼接続制御とは大幅に異なっている。
【０００５】
このため、発信電話番号通知サービスに対応した呼接続制御を行うと、ＮＣＵに接続された端末のうち、発信電話番号通知サービスに対応していない端末については、起動できないという大きな問題があった。
【０００６】
また、従来のファクシミリ装置では、着呼側ファクシミリ装置が発信電話番号通知サービスが実行可能であるか否かとは無関係に、発呼側での呼接続は同一の制御を行っていた。
【０００７】
しかしながら、着呼側ファクシミリ装置が、発信電話番号通知サービスに対応していると、上述のように呼接続が成立するまでに長い時間がかかり、通信エラーとなってしまう可能性があるという問題があった
さらに、従来のファクシミリ装置では、上述のような各国別に異なるサービスのうち、どれか１つのサービスに対応する仕様を有するものであるため、複数の仕様を設けようとすると、それぞれの仕様に対応するソフトは別々となり、ＲＯＭの管理面が面倒になり、また、多種少量生産が必要となり、量産化によるＲＯＭ（ここではマスクＲＯＭ）の低廉化が図りづらいという問題があった。
【０００８】
本発明は、発信電話番号通知サービスへの対応の有無に応じて、ＮＣＵに接続された端末装置やファクシミリ装置間で適正な動作を行うことができるファクシミリ装置を提供することを目的とする。
【０００９】
また、本発明は、各国別等で異なる発信電話番号通知サービスに対し、ソフトの簡素化を図ることができるファクシミリ装置を提供することを目的とする。
【００１０】
【課題を解決するための手段】
本出願請求項１における第１の発明は、発信電話番号通知サービスを受けることが可能なファクシミリ装置において、上記外部接続される外部端末装置が、発信電話番号通知サービスに対応するか否かを登録し、登録された情報に応じて、発信電話番号通知サービスにより通知される電話番号情報が外部端末装置に通知されるように制御することを特徴とする。
【００１１】
また、本出願請求項２は、上記第１の発明におけるファクシミリ装置において、外部端末装置が発信電話番号通知サービスに対応すると登録されている場合には、ファクシミリ装置が外部端末装置に対して発信電話番号通知サービスのシーケンスを実行して、公衆回線を介して通知された電話番号情報を外部端末装置に通知することを特徴とする。
【００１２】
また、本出願請求項３は、上記第１の発明におけるファクシミリ装置において、外部端末装置が発信電話番号通知サービスに対応しないと登録されている場合には、外部端末装置に電話番号情報を通知することなしに、公衆回線を外部端末装置に接続することを特徴とする。
【００１３】
また、本出願請求項４は、上記第１の発明におけるファクシミリ装置において、発信電話番号通知サービスにより通知された電話番号情報がファクシミリ通信を行う宛先に対応する場合は、ファクシミリ通信を実行し、ファクシミリ通信を行う宛先に対応しない場合は、電話番号情報が外部端末装置に通知されるように制御することを特徴とする。
【００１４】
また、本出願請求項５における本出願の第２の発明は、発呼する宛先に対応して、発信電話番号通知サービスを実行するか否かを登録し、登録された情報に基づいて、呼接続の制御を変えるようにしたものであり、本出願請求項６は、上記登録情報に基づいて、初期識別時間を変えるようにしたものである。また、本出願請求項７は、発呼する宛先が発信電話番号通知サービスを実行すると登録されている場合には、発信電話番号通知サービスを実行しないと登録されている場合より、初期識別時間を長くするようにしたものである。
【００１５】
これらにより、例えば、着呼側ファクシミリ装置が発信電話番号通知サービスを実行している場合、ダイヤル終了後の初期識別時間を通常の３０〜４０秒間より長い、例えば１分間とすることが可能になり、呼接続における通信エラーをなくすことができる。しかも、着呼側ファクシミリ装置が発信電話番号通知サービスを実行していない場合は、従来通りの制御が可能である。
【００１６】
また、本出願請求項８は、上記第２の発明におけるファクシミリ装置において、発呼する宛先が発信電話番号通知サービスを実行すると登録されている場合には、リングバックトーンを検出したときに初期識別時間を再設定し、発信電話番号通知サービスを実行しないと登録されている場合には、リングバックトーンの検出によらず、ダイヤル終了後に初期識別時間の設定をすることを特徴とするものである。さらに、本出願請求項９は、上記第２の発明におけるファクシミリ装置において、発呼する宛先が発信電話番号通知サービスを実行すると登録されている場合に、リングバックトーンを所定時間以上連続して検出すると、呼切断へ移行することを特徴とするものである。
【００１７】
これらにより、着呼側ファクシミリ装置が発信電話番号通知サービスを実行している場合、交換機が着呼側ファクシミリ装置に発ＩＤ信号を送出後、発呼側ファクシミリ装置に送出されるリングバックトーン信号を利用し、確実に呼接続を行うことが可能になった。
【００１８】
また、本出願請求項１０における第３の発明は、発信電話番号通知サービスを受けることが可能なファクシミリ装置において、外部接続される外部端末装置が、発信電話番号通知サービスに対応するか否かを登録し、登録された情報に応じて、発信電話番号通知サービスにおける起動信号に対する外部端末装置の応答を判別し、該応答後に公衆回線を介して通知される電話番号情報を監視することを特徴とする。
【００１９】
また、本出願請求項１１は、上記第３の発明におけるファクシミリ装置において、ファクシミリ装置が複数種類の発信電話番号通知サービスを受けることが可能であり、公衆回線を介して提供される発信電話番号通知サービスの種類を設定でき、この設定に応じて、上記判別処理を実行することを特徴とする。
【００２０】
また、本出願請求項１２は、上記第３の発明におけるファクシミリ装置において、外部端末装置が、発信電話番号通知サービスに対応すると登録されている場合に、上記監視処理を行い、発信電話番号通知サービスに対応しないと登録されている場合には、起動信号に対してファクシミリ装置が応答することを特徴とする。
【００２１】
また、本出願請求項１３は、上記第３の発明におけるファクシミリ装置において、起動信号に対して外部端末装置が、所定時間経過しても応答しない場合には、起動信号に対してファクシミリ装置が応答することを特徴とする。また、本出願請求項１４は、上記第３の発明におけるファクシミリ装置において、監視された電話番号情報に応じて、電話番号情報の通知後に送られてくる呼び出し信号に対する着信処理を行うことを特徴とする。
【００２２】
【発明の実施の形態および実施例】
図１は、本発明の第１、第２実施例におけるファクシミリ装置の構成を示すブロック図である。
【００２３】
ＮＣＵ（網制御装置）２は、電話網をデータ通信等に使用するために、その回線の端末に接続し、電話交換網の接続制御を行ったり、データ通信路への切換えを行ったり、ループの保持を行なうものである。また、ＮＣＵ２は、制御回路２０から信号線２０ａに情報ａ、ｂ、ｃが出力できる。そして、信号線２０ａの情報ａが信号「０」であれば、電話回線２ａを第３の端末装置側（信号線２ｂ）に接続し、情報ａが信号「１」であれば、電話回線２ａをファクシミリ装置側（信号線２ｃ）に接続し、情報ａが信号「２」であれば、電話回線２ａを信号線２ｄに接続し、情報ａが信号「３」であれば、電話回線２ａを第１の端末装置側（信号線２ｆ）に接続し、情報ａが信号「４」であれば、電話回線２ａを第２の端末装置側（信号線２ｇ）に接続する。
【００２４】
同様に、信号線２０ａの情報ｂが信号「０」であれば、信号線４６ａをオープンとし、情報ｂが信号「１」であれば、信号線４６ａを信号線２ｆに接続し、情報ｂが信号「２」であれば、信号線４６ａを信号線２ｇに接続し、情報ｂが信号「３」であれば、信号線４６ａを信号線２ｂに接続する。
【００２５】
同様に、信号線２０ａの情報ｃが信号「０」であれば、信号線４４ａをオープンとし、情報ｃが信号「１」であれば信号線４４ａを信号線２ｆに接続し、情報ｃが信号「２」であれば、信号線４４ａを信号線２ｇに接続し、情報ｃが信号「３」であれば、信号線４４ａを信号線２ｂに接続する。
【００２６】
ここで、信号線２ｄは、ハイインピーダンスであり、信号線２ａの電話回線が信号線２ｄに接続されている場合、直流ループは開放されている。また、信号線２ｃは、直流ループを形成する低いインピーダンスであり、電話回線が信号線２ｃに接続されている場合、直流ループは形成されている。
【００２７】
また、ＮＣＵ２は、電話回線２ａを第１〜第３の端末装置のどれかに接続している場合、直流ループを捕捉しているか否かの情報を信号線２ｇに出力する。第１〜第３の端末装置のどれかに接続してあり、直流ループが形成されている場合には、信号線２ｈに信号レベル「１」の信号を出力し、直流ループが形成されていない場合には、信号線２ｈに信号レベル「０」の信号を出力する。
【００２８】
なお、通常状態では、電話回線２ａは信号線２ｄに接続され、信号線４４ａ、信号線４６ａはオープンとなっている。
【００２９】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００３０】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００３１】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００３２】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００３３】
メモリ回路１８は、読取りデータの生情報、あるいは、符号化した情報を格納したり、また、受信情報、あるいは、復号化した情報等を格納するために使用する。
【００３４】
ＩＤ受信端末起動信号検出回路２２は、信号線２ｄの情報を入力し、ＩＤ受信端末起動信号（１６Ｈｚの７５Ｖｒｍｓで、０．５秒オン、０．５秒オフの繰り返し信号）を検出していると、信号線２２ａに信号レベル「１」の信号を出力し、ＩＤ受信端末起動信号を検出していないと、信号線２２ａに信号レベル「０」の信号を出力する。
【００３５】
呼出信号検出回路２４は、信号線２ｄの情報を入力し、呼出信号（１６Ｈｚの７５ｒｍｓで１秒オン、２秒オフの繰り返し信号）を検出していると、信号線２４ａに信号レベル「１」の信号を出力し、呼出信号を検出していないと、信号線２４ａに信号レベル「０」の信号を出力する。
【００３６】
発ＩＤ信号検出回路２６は、信号線６ａの情報を入力し、交換機から送出される発ＩＤ信号をＩＴＵ−ＴのＶ．２３勧告に基づいて復調し、この復調データを信号線２６ａに出力する。
【００３７】
操作部２８は、ワンタッチダイヤル、短縮ダイヤル、テンキー、スタートキー、＊キー、＃キー、セットキー、回路３０、３２、３４、３６、３８、４０への登録キー、その他のファンクションキーを有するものであり、押下されたキー情報は信号線２８ａに出力される。
【００３８】
登録回路３０は、信号線３０ａを介し、発ＩＤ信号に対応してファクシミリ通信を行なう宛先を登録する回路である。
【００３９】
登録回路３２は、信号線３２ａを介し、発ＩＤ信号に対応して第１の端末装置へ接続する宛先を登録する回路である。
【００４０】
登録回路３４は、信号線３４ａを介し、発ＩＤ信号に対応して第２の端末装置へ接続する宛先を登録する回路である。
【００４１】
登録回路３６は、信号線３６ａを介し、第１の端末装置が発信電話番号通知サービスに対応しているか対応していないかを登録する回路である。
【００４２】
登録回路３８は、信号線３８ａを介し、第２の端末装置が発信電話番号通知サービスに対応しているか対応していないかを登録する回路である。
【００４３】
登録回路４０は、信号線４０ａを介し、第３の端末装置が発信電話番号通知サービスに対応しているか対応していないかを登録する回路である。
【００４４】
発ＩＤ信号記憶回路４２は、信号線２６ａを入力して検出した発ＩＤ信号を信号線４２ａを介して登録するものである。
【００４５】
発ＩＤ信号送出回路４４は、信号線２０ｆに出力されている情報を入力し、ＩＴＵ−ＴのＶ．２３勧告に基づいて変調し、この変調データを信号線４４ａに出力するものである。
【００４６】
ＩＤ受信端末起動信号送出回路４６は、信号線２０ｇに信号レベル「１」の信号が出力されている場合には、信号線４６ａにＩＤ受信端末起動信号を送出し、信号線２８ｇに信号レベル「０」の信号が出力されている場合には、信号線４６ａにＩＤ受信端末起動信号を送出しない。
【００４７】
以上のＮＣＵ２から送出回路４６までがファクシミリ装置の構成要素である。そして、このファクシミリ装置に、第１の端末装置５０、第２の端末装置５２、第３の端末装置５４に信号線２ｆ、２ｇ、２ｂを介して接続されている。
【００４８】
制御装置２０は、本実施例のファクシミリ装置全体を制御するものであり、特に第１実施例において、登録回路３０、３６に登録された情報に基づいて呼接続制御を変えるものである。具体的には、発ＩＤ信号を検出してファクシミリ通信を行なう宛先であればファクシミリ通信をし、ファクシミリ通信をしない宛先であれば、ＮＣＵ２に接続している第１の端末装置５０に呼接続する制御を実行する。なお、この第１実施例において、図１に示した登録回路３２、３４、３８、４０、端末装置５２、５４、信号線２ｇ、２ｂは、ないものとする。
【００４９】
次に、発信電話番号通知サービスの概略について説明する。まず、交換機から被呼側にＩＤ受信端末起動信号が送信され、これに対して被呼側が直流ループを形成することによって１次応答する。すると、交換機から被呼側にＶ．２３変調された発ＩＤ信号が送信され、これを被呼側で受信すると、直流ループを断することにより、発ＩＤ信号の受信完了を通知する。ここで、交換機は、発呼側にリングバックトーンを送信する。また、前記発ＩＤ信号の受信完了に対して交換機から被呼側に呼出信号が送出され、これに対して被呼側は、直流ループを形成して２次応答する。その後、通信動作が実行される。
【００５０】
図２〜図７は、本発明の第１実施例における制御回路２０の制御の具体例を示すフローチャートである。
【００５１】
まず、Ｓ０で動作を開始し、Ｓ２では、信号線２０ａの情報ａに信号「２」を出力し、信号線２ａを信号線２ｄに接続する。また、Ｓ４では、信号線２０ａの情報ｃに信号「０」を出力して信号線４４ａをオープンとし、Ｓ６では、信号線２０ａの情報ｂに信号「０」を出力して信号線４６ａをオープンとする。
【００５２】
Ｓ８では、信号線２０ｄに信号レベル「０」の信号を出力してＡＮＳａｍ信号を送出しない状態とし、Ｓ１０では、信号線２０ｇに信号レベル「０」の信号を出力して送出回路４６より信号線４６ａにＩＤ受信端末起動信号を出力しない状態とする。
【００５３】
Ｓ１２では、信号線２８ａの情報を入力し、登録回路３０への登録が選択されたか否かを判断し、選択されるとＳ１４に進み、信号線３０ａを介し、発ＩＤ信号に対応してファクシミリ通信をする宛先を登録回路３０へ登録し、Ｓ１６に進む。また、Ｓ１２で選択されていないと、そのままＳ１６に進む。
【００５４】
Ｓ１６では、信号線２８ａの情報を入力し、登録回路３６への登録が選択されたか否かを判断し、選択されるとＳ１８に進み、信号線３６ａを介して信号線２ｆに接続されている第１の端末装置５０の発信電話番号通知サービスの対応の有無を登録回路３６へ登録し、Ｓ２０に進む。また、Ｓ１６で選択されていないと、そのままＳ２０に進む。
【００５５】
Ｓ２０では、信号線２２ａの情報を入力し、ＩＤ受信端末起動信号を検出したか否かを判断し、検出していないとＳ２２に進み、その他の処理を行い、Ｓ２に進む。
【００５６】
また、Ｓ２０でＩＤ受信端末起動信号を検出すると、Ｓ２４に進み、信号線２０ａの情報ａに信号「１」を出力し、信号線２ａを信号線２ｃに接続し、１次応答する。次に、Ｓ２６では、タイマＴ１に１０秒をセットし、Ｓ２８では、信号線２６ａの情報を入力して発ＩＤ信号の受信を行い、発ＩＤ信号記憶回路４２へ格納する。
【００５７】
この後、Ｓ３０では、発ＩＤ信号の受信が終了したか否かを判断し、終了するとＳ３４に進み、終了していないとＳ３２に進む。
【００５８】
Ｓ３２では、タイマＴ１がタイムオーバーしたか否かを判断し、タイムオーバーするとＳ２に進み、タイムオーバーしていないとＳ２８に進む。
【００５９】
Ｓ３４では、信号線３０ａの情報を入力し、発ＩＤ信号はファクシミリ通信をする宛先であるか否かを判断し、ファクシミリ通信をする宛先であると、Ｓ３６に進み、ファクシミリ通信をする宛先でないと、Ｓ５２に進む。
【００６０】
Ｓ３６では、信号線２０ａの情報ａに信号「２」を出力し、信号線２ａを信号線２ｄに接続して直流ループを断し、Ｓ３８では、タイマＴ１に１５秒をセットする。
【００６１】
次に、Ｓ４０では、信号線２４ａの情報を入力して呼出信号を検出したか否かを判断し、検出するとＳ４４に進み、検出していないとＳ４２に進む。
【００６２】
Ｓ４２では、タイマＴ１がタイムオーバーしたか否かを判断し、タイムオーバーするとＳ２に進み、タイムオーバーしていないとＳ４０に進む。
【００６３】
Ｓ４４では、信号線２０ａの情報ａに信号「１」を出力し、信号線２ａを信号線２ｃに接続し、２次応答する。そして、Ｓ４６では前手順、Ｓ４８では画信号の受信／記録、Ｓ５０では後手順を順次行う。
【００６４】
Ｓ５２では、信号線３６ａの情報を入力し、第１の端末装置５０が発信電話番号通知サービスに対応しているか否かを判断し、対応しているとＳ７２に進み、対応していないとＳ５４に進む。
【００６５】
Ｓ５４では、信号線２０ａの情報ａに信号「２」を出力し、信号線２ａを信号線２ｄに接続して直流ループを断し、Ｓ５６では、タイマＴ１に１５秒をセットする。
【００６６】
次に、Ｓ５８では、信号線２４ａの情報を入力し、呼出信号を検出したか否かを判断し、検出していないとＳ６０に進み、タイマＴ１がタイムオーバーしたか否かを判断し、タイムオーバーするとＳ２に進み、タイムオーバーしていないとＳ５８に進む。
【００６７】
また、Ｓ５８で呼出信号を検出するとＳ６２に進み、信号線２０ａの情報ａに信号「３」を出力し、信号線２ａを信号線２ｆに接続する。
【００６８】
この後、Ｓ６４では、信号線２ｈの情報を入力し、第１の端末装置５０が応答したか否かを判断し、応答していないとＳ６６に進み、さらに呼出信号があるか否かを判断し、あるとＳ６４に進んで応答を判断し、ないとＳ２に進む。
【００６９】
そして、Ｓ６４で応答があると、Ｓ６８に進み、第１の端末装置５０で動作が行われる。この後、Ｓ７０では、信号線２ｈの情報を入力し、第１の端末装置５０は動作終了したか否かを判断し、動作終了するとＳ２に進み、動作終了していないとＳ６８に進み、動作を続行する。
【００７０】
また、Ｓ７２では、信号線２０ａの情報ａに信号「２」を出力し、信号線２ａを信号線２ｄに接続し、直流ループを断する。また、Ｓ７４では、信号線２０ａの情報ｂに信号「１」を出力し、信号線４６ａを信号線２ｆに接続する。
【００７１】
さらに、Ｓ７６では、信号線２０ｇに信号レベル「１」の信号を出力し、ＩＤ受信端末起動信号を信号線４６ａに送出する。Ｓ７８では、タイマＴ１に１分をセットする。
【００７２】
Ｓ８０では、信号線２ｈの情報を入力し、第１の端末装置５０が１次応答したか否かを判断し、１次応答するとＳ８４に進み、１次応答していないとＳ８２に進む。
【００７３】
Ｓ８２では、タイマＴ１がタイムオーバーしたか否かを判断し、タイムオーバーするとＳ２に進み、タイムオーバーしていないとＳ８０に進む。
【００７４】
また、Ｓ８４では、信号線２０ａの情報ｂに信号「０」を出力し、信号線４６ａをオープンする。そして、Ｓ８６では、信号線２０ｇに信号レベル「０」の信号を出力し、ＩＤ受信端末起動信号を信号線４６ａに出力しない状態とする。
【００７５】
Ｓ８８では、信号線２０ａの情報ｃに信号「１」を出力し、信号線４４ａを信号線２ｆに接続する。そして、Ｓ９０では、信号線４２ａの情報を入力し、登録回路４２に登録されている発ＩＤ信号を信号線２０ｆに出力する。そして、Ｓ９２では、タイマＴ１に２０秒をセットする。
【００７６】
Ｓ９４では、信号線２ｈの情報を入力し、第１の端末装置５０の直流ループの断を検出したか否かを判断し、検出するとＳ９８に進み、検出していないとＳ９６に進む。
【００７７】
Ｓ９６では、タイマＴ１がタイムオーバーしたか否かを判断し、タイムオーバーするとＳ２に進み、タイムオーバーしていないとＳ９４に進む。
【００７８】
Ｓ９８では、信号線２０ａの情報ｃに信号「０」を出力し、信号線４４ａをオープンとする。この後、Ｓ６２に進む。
【００７９】
次に、本発明の第２実施例について説明する。
【００８０】
この第２実施例は、ＮＣＵ２に接続された複数の端末装置に対応して発信電話番号通知サービスの対応の有無を登録しておき、この登録情報に基づいて、接続する端末登録毎に呼接続の制御を変えるものである。具体的には、発ＩＤ信号に対応してファクシミリ通信を行なう宛先を登録するとともに、接続している端末装置のうち、１つを除く端末装置のそれぞれに対応して呼接続する宛先を登録し、発ＩＤ信号を検出した場合に、ファクシミリ通信を行なう宛先であればファクシミリ通信をし、接続している端末装置に呼接続する宛先であれば、その端末装置に呼接続し、未登録の宛先であれば、残りの１つの端末装置へ呼接続する。
【００８１】
図８〜図１３は、このような第２実施例の動作のうち、上記第１実施例（図２〜図７）と異なる部分を示すフローチャートである。なお、この第２実施例では、図１に示す全ての要素を利用する。
【００８２】
まず、図８において、Ｓ１００は上述したＳ２２を表している。そして、Ｓ１０２では、信号線２８ａの情報を入力し、登録回路３２への登録が選択されたか否かを判断し、選択されるとＳ１０４に進み、信号線３２ａを介し、発ＩＤ信号に対応して第１の端末装置５０へ接続する宛先を登録回路３２に登録し、Ｓ１０６に進む。また、Ｓ１０２で選択されないと、そのままＳ１０６に進む。
【００８３】
また、Ｓ１０６では、信号線２８ａの情報を入力し、登録回路３４への登録が選択されたか否かを判断し、選択されるとＳ１０８に進み、信号線３４ａを介し、発ＩＤ信号に対応して第２の端末装置５２へ接続する宛先を登録回路３４へ登録し、Ｓ１１０に進む。また、Ｓ１０６で選択されないと、そのままＳ１１０に進む。
【００８４】
Ｓ１１０では、信号線２８ａの情報を入力し、登録回路３８への登録が選択されたか否かを判断し、選択されるとＳ１１２に進み、信号線３８ａを介し、信号線２ｇに接続されている第２の端末装置５２の発信電話番号通知サービスの対応の有無を登録回路３８へ登録し、Ｓ１１４に進む。また、Ｓ１１０で選択されていないと、そのままＳ１１４に進む。
【００８５】
Ｓ１１４では、信号線２８ａの情報を入力し、登録回路４０への登録が選択されたか否かを判断し、選択されるとＳ１１６に進み、信号線４０ａを介し、信号線２ｂに接続されている第３の端末装置５４の発信電話番号通知サービスの対応の有無を登録回路４０へ登録し、Ｓ１１８で上述のＳ２に進む。また、Ｓ１１４で選択されていないと、そのままＳ１１８でＳ２に進む。
【００８６】
また、Ｓ１２０は、上述のＳ３４のＮｏを表している。そして、Ｓ１２２では、信号線３２ａの情報を入力し、発ＩＤ信号は第１の端末装置へ接続する宛先であるか否かを判断し、第１の端末装置５０へ接続する宛先であると、Ｓ１２４で上述のＳ５２に進む。また、第１の端末装置５０へ接続する宛先でないと、Ｓ１２６に進む。
【００８７】
Ｓ１２６では、信号線３４ａの情報を入力し、発ＩＤ信号は第２の端末装置５２へ接続する宛先であるか否かを判断し、第２の端末装置５２へ接続する宛先であるとＳ１２８に進み、第２の端末装置５２へ接続する宛先でないとＳ１００に進み、第３の端末装置５４へ接続する。
【００８８】
Ｓ１２８では、信号線３８ａの情報を入力し、第２の端末装置５２が発信電話番号通知サービスに対応しているか否かを判断し、対応しているとＳ１４４に進み、対応していないとＳ１３０に進む。
【００８９】
Ｓ１３０では、上述のＳ５４からＳ６０と同一制御を行い、Ｓ５８のＹｅｓで次のＳ１３２へ移行する。Ｓ１３２では、信号線２０ａの情報ａに信号「４」を出力し、信号線２ａを信号線２ｇに接続する。
【００９０】
Ｓ１３４では、信号線２ｈの情報を入力し、第２の端末装置５２が応答したか否かを判断し、応答するとＳ１３８に進み、応答しないとＳ１３６に進む。
【００９１】
Ｓ１３６では、さらに呼出信号があるか否かを判断し、あるとＳ１３４に進み、ないとＳ１４２でＳ２に進む。
【００９２】
Ｓ１３８では、第２の端末装置５２の動作を行い、Ｓ１４０では、信号線２ｈの情報を入力して第２の端末装置５２の動作が終了したか否かを判断し、動作が終了するとＳ１４２に進み、動作が終了していないとＳ１３８に進む。
【００９３】
また、Ｓ１４４では、上述のＳ７２と同一の制御を行う。そして、Ｓ１４６では、信号線２０ａの情報ｂに信号「２」を出力して信号線４６ａを信号線２ｇに接続し、Ｓ１４８では、上述のＳ７６、Ｓ７８と同一の制御を行う。
【００９４】
次に、Ｓ１５０では、信号線２ｈの情報を入力し、第２の端末装置５２が１次応答したか否かを判断し、１次応答していないとＳ１５２に進み、タイマＴ１がタイムオーバーしたか否かを判断し、タイムオーバーすると、Ｓ１５４でＳ２に進み、タイムオーバーしていないと、Ｓ１５０に進む。
【００９５】
また、Ｓ１５０で１次応答するとＳ１５６に進み、上述のＳ８４、Ｓ８６と同一の制御を行い、Ｓ１５８では、信号線２０ａの情報ｃに信号「２」を出力して信号線４４ａを信号線２ｇに接続し、Ｓ１６０では、上述のＳ９０、Ｓ９２と同一の制御を行う。
【００９６】
次に、Ｓ１６２では、信号線２ｈの情報を入力し、第２の端末装置５２の直流ループの断を検出したか否かを判断し、検出するとＳ１６８に進み、上述のＳ９８と同一の制御を行い、Ｓ１３２に進む。
【００９７】
また、Ｓ１５２で検出していないとＳ１６４に進み、タイマＴ１がタイムオーバーしたか否かを判断し、タイムオーバーするとＳ１６６でＳ２に進み、タイムオーバーしていないとＳ１６２に進む。
【００９８】
また、Ｓ１７０では、信号線４０ａの情報を入力し、第３の端末装置５４が発信電話番号通知サービスに対応しているか否かを判断し、対応しているとＳ１８４に進み、対応していないとＳ１７２に進む。
【００９９】
Ｓ１７２では、上述のＳ５４からＳ６０と同一の制御を行い、Ｓ５８のＹｅｓで次のＳ１７４へ移行する。Ｓ１７４では、信号線２０ａの情報ａに信号「０」を出力して信号線２ａを信号線２ｂに接続し、Ｓ１７６では、信号線２ｈの情報を入力し、第３の端末装置５４が応答したか否かを判断し、応答するとＳ１８０に進み、応答していないとＳ１７８に進む。
【０１００】
Ｓ１７８では、さらに呼出信号があるか否かを判断し、あるとＳ１７６に進み、ないとＳ１８１でＳ２に進む。
【０１０１】
また、Ｓ１８０では、第３の端末装置５４の動作を行う。そして、Ｓ１８２では、信号線２ｈの情報を入力し、第３の端末装置５４の動作が終了したか否かを判断し、動作が終了するとＳ１８１でＳ２に進み、動作が終了していないとＳ１８０に進む。
【０１０２】
また、Ｓ１８４では、上述のＳ７２と同一制御を行う。そして、Ｓ１８６では、信号線２０ａの情報ｂに信号「３」を出力し、信号線４６ａを信号線２ｂに接続する。そして、Ｓ１８８では、Ｓ７６、Ｓ７８と同一の制御を行う。
【０１０３】
また、Ｓ１９０では、信号線２ｈの情報を入力し、第３の端末装置５４が１次応答したか否かを判断し、１次応答していないとＳ１９２に進み、タイマＴ１がタイムオーバーしたか否かを判断し、タイムオーバーするとＳ１９３でＳ２に進み、タイムオーバーしていないとＳ１９０に進む。
【０１０４】
また、Ｓ１９０で、１次応答するとＳ１９４に進み、Ｓ８４、Ｓ８６と同一の制御を行い、Ｓ１９６では、信号線２０ａの情報ｃに信号「３」を出力して信号線４４ａを信号線２ｂに接続する。さらに、Ｓ１９８では、Ｓ９０、Ｓ９２と同一の制御を行う。
【０１０５】
次に、Ｓ２００では、信号線２ｈの情報を入力し、第３の端末装置５４の直流ループの断を検出したか否かを判断し、検出するとＳ２０６に進み、Ｓ９８と同一の制御を行い、検出していないとＳ２０２に進む。
【０１０６】
Ｓ２０２では、タイムＴ１がタイムオーバーしたか否かを判断し、タイムオーバーすると、Ｓ２０４でＳ５２に進み、タイムオーバーしていないと、Ｓ２００に進む。
【０１０７】
次に、本発明の第３実施例について説明する。
【０１０８】
図１４は、本発明の第３、第４実施例によるファクシミリ装置の構成を示すブロック図である。
【０１０９】
ＮＣＵ（網制御装置）１０２は、電話網をデータ通信等に使用するために、その回線の端末に接続し、電話交換網の接続制御を行なったり、データ通信路への切換えを行なったり、ループの保持を行なうものである。また、ＮＣＵ１０２は、制御回路１２０からの信号レベル（信号線１２０ａ）が「０」であれば、電話回線１０２ａを電話機１０４側に接続し、信号レベルが「１」であれば、電話回線１０２ａをファクシミリ装置側に接続するものである。なお、通常状態では、電話回線１０２ａは、電話機１０４側に接続されている。
【０１１０】
ハイブリッド回路１０６は、送信系の信号と受信系の信号とを分離し、加算回路１１２からの送信信号をＮＣＵ１０２経由で、電話回線１０２ａに送出し、相手側からの信号をＮＣＵ１０２経由で受取り、信号線１０６ａ経由で、変復調器１０８に送るものである。
【０１１１】
変復調器１０８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線１２０ｃにより、各伝送モードが指定される。この変復調器１０８は、信号線１２０ｂに出力されている信号を入力し、変調データを信号線１０８ａに出力し、信号線１０６ａに出力されている受信信号を入力し、復調データを信号線１０８ｂに出力する。
【０１１２】
ＡＮＳａｍ送出回路１１０は、ＡＮＳａｍ信号を送出する回路であり、信号線１２０ｄに信号レベル「１」の信号が出力されている時には、信号線１１０ａにＡＮＳａｍ信号を送出し、信号線１２０ｄに信号レベル「０」の信号が出力されている時には、信号線１１０ａに何も信号を出力しない。
【０１１３】
加算回路１１２は、信号線１０８ａの情報と信号線１１０ａの情報とを入力し、加算した結果を信号線１１２ａに出力するものである。読取回路１１４は、原稿の画像を読取り、この読取り画像データを信号線１１４ａに出力するものである。記録回路１１６は、信号線１２０ｅに出力されている情報を順次１ライン毎に記録するものである。
【０１１４】
メモリ回路１１８は、読取りデータの生情報、あるいは、符号化した情報を格納したり、また、受信情報、あるいは、復号化した情報等を格納するために使用する。
【０１１５】
発呼回路１２２は、信号線１２０ｇに発呼命令パルスが発生した場合に、信号線１２０ｆに出力されている電話番号情報を入力し、その情報に対応した選択信号を信号線１０２ｂに送出する。
【０１１６】
操作部１２４は、ワンタッチダイヤル、短縮ダイヤル、テンキー、＊キー、＃キー、回路１２６への登録キー、回路１２８への登録キー、セットキー、スタートキー、その他のファンクションキーを有し、押下されたキー情報は信号線１２４ａに出力される。
【０１１７】
登録回路１２６は、信号線１２６ａを介し、発呼先に対応して着呼側のファクシミリ装置が発信電話番号通知サービスに対応しているか否かを登録する回路である。
【０１１８】
登録回路１２８は、信号線１２８ａを介し、着呼側ファクシミリ装置が発信電話番号通知サービスを実施している場合に、初期識別時間（例えば、通常は３５秒）を延長する時間（例えば２５秒）を登録する回路である。
【０１１９】
リングバックトーン検出回路１３０は、信号線１０６ａの情報を入力し、リングバックトーンを検出していると、信号線１３０ａに信号レベル「１」の信号を出力し、リングバックトーンを検出していないと、信号線１３０ａに信号レベル「０」の信号を出力する。
【０１２０】
制御回路１２０は、本発明の第３実施例において、発呼する場合に、その発呼する宛先に対応する着信側ファクシミリ装置における発信電話番号通知サービスの実行の有無に従い、呼接続の制御を変えるものである。具体的には、着信側ファクシミリ装置の発信電話番号通知サービスの実行の有無に従い、初期識別時間を変えるようにし、着信側ファクシミリ装置の発信電話番号通知サービスの実行がありの場合は、着信側ファクシミリ装置の発信電話番号通知サービスの実行なしの場合より、初期識別時間を長くするものである。
【０１２１】
図１５〜図１７は、この第３実施例における制御回路１２０の制御の具体例を示すフローチャートである。
【０１２２】
まず、Ｓ３００で動作を開始し、Ｓ３０２では、信号線１２０ａに信号レベル「０」の信号を出力してＣＭＬをオフする。Ｓ３０４では、信号線１２０ｄに信号レベル「０」の信号を出力してＡＮＳａｍ信号を送出しない状態とする。
【０１２３】
Ｓ３０６では、信号線１２４ａの情報を入力し、登録回路１２６への登録が選択されたか否かを判断し、選択されるとＳ３０８に進み、信号線１２６ａを介してワンタッチダイヤル等の発呼先に対応し、着呼側ファクシミリ装置が発信電話番号通知サービスを実行しているか否かを登録回路１２６に登録し、選択されていないとＳ１１０に進む。
【０１２４】
Ｓ３１０では、信号線１２４ａの情報を入力し、登録回路１２８への登録が選択されているか否かを判断し、選択されるとＳ３１２に進み、信号線１２８ａを介して着呼側ファクシミリ装置が発信電話番号通知サービスを実行している場合において、初期識別時間を延長する時間、例えば２５秒を登録回路１２８に登録し、選択されていないとＳ３１４に進む。なお、着呼側ファクシミリ装置が発信電話番号通知サービスを実行していないときの初期識別時間は３５秒とする。
【０１２５】
Ｓ３１４では、信号線１２４ａの情報を入力し、ワンタッチダイヤルが押下されたか否かを判断し、ワンタッチダイヤルが押下されるとＳ３１８に進み、ワンタッチダイヤルが押下されていないとＳ３１６に進み、その他の処理を行い、Ｓ３０２に進む。
【０１２６】
Ｓ３１８では、押下されたワンタッチダイヤルに登録されている宛先を信号線１２０ｆに出力後、信号線１２０ｇに発呼命令パルスを発生し、押下されたワンタッチダイヤルの宛先へ発呼する。
【０１２７】
Ｓ３２０では、信号線１２６ａを介して登録回路１２６の情報を入力し、今、発呼した宛先の着呼側のファクシミリ装置は、発信電話番号通知サービスを実行しているか否かを判断し、実行しているとＳ３２２に進み、初期識別信号の受信タイマＴ１に３５秒にさらに、信号線１２８ａの情報を入力し、登録回路１２８に登録されている時間、例えば２５秒を入力し、この時間を加えた時間、例えば１分をセットし、実行していないとＳ３２４に進み、初期識別信号の受信タイマＴ１に３５秒をセットする。
【０１２８】
Ｓ３２６では、信号線２０ａに信号レベル「１」の信号を出力してＣＭＬをオンする。Ｓ３２８では、ＣＮＧ信号の送信を行い、Ｓ３３０では、タイマＴ２に３秒をセットする。
【０１２９】
次に、Ｓ３３２では、ＮＳＦ／ＣＳＩ／ＤＩＳ信号を受信したか否かを判断し、受信するとＳ３３８に進み、受信していないとＳ３３４に進む。
【０１３０】
Ｓ３３４では、タイマＴ２がタイムオーバーしたか否かを判断し、タイムオーバーするとＳ３３６に進み、タイムオーバーしていないとＳ３３２に進む。
【０１３１】
Ｓ３３６では、タイマＴ１がタイムオーバーしたか否かを判断し、タイムオーバーするとＳ３０２に進み、タイムオーバーしていないとＳ３２８に進む。
【０１３２】
Ｓ３３８では、ＮＳＳ／ＴＳＩ／ＤＣＳ信号の送信を行い、Ｓ３４０では残りの前手順、Ｓ３４２では画信号の送信、Ｓ３４４では後手順を順に行い、Ｓ３０２に進む。
【０１３３】
次に、本発明の第４実施例について説明する。
【０１３４】
この第４実施例では、上記第３実施例において、着信側ファクシミリ装置が発信電話番号通知サービスの実行ありの場合、リングバックトーン信号を検出すると、初期識別時間を再設定し、発信電話番号通知サービスの実行なしの場合、リングバックトーンを検出しないでダイヤル終了後に初期識別時間を設定する。また、発信電話番号通知サービスの実行ありの場合において、リングバックトーンを所定時間以上連続して検出すると、呼切断へ移行するものである。
【０１３５】
図１８は、このような第４実施例における制御回路１２０の制御の具体例のうち、上述した第３実施例（図１５〜図１７）と異なる部分を示すフローチャートである。
【０１３６】
まず、Ｓ３５０は、Ｓ３２０のＹｅｓを表している。そして、Ｓ３５２では、初期識別信号の受信タイマＴ１に３５秒をセットし、Ｓ３５４では、信号線１２０ａに信号レベル「１」の信号を出力してＣＭＬをオンする。
【０１３７】
次に、Ｓ３５６では、ＣＮＧ信号の送信を行い、Ｓ３５８では、タイマＴ２に３秒をセットする。そして、Ｓ３６０では、ＮＳＦ／ＣＳＩ／ＤＩＳ信号を受信したか否かを判断し、ＮＳＦ／ＣＳＩ／ＤＩＳ信号を受信していると、Ｓ３６２で上述のＳ３３８に進み、ＮＳＦ／ＣＳＩ／ＤＩＳ信号を受信していないと、Ｓ３６４に進む。
【０１３８】
Ｓ３６６では、タイマＴ２がタイムオーバーしたか否かを判断し、タイムオーバーするとＳ３６８に進み、タイムオーバーしていないとＳ３６０に進む。
【０１３９】
Ｓ３６８では、タイマＴ１がタイムオーバーしたか否かを判断し、タイムオーバーすると、Ｓ３７０でＳ３０２に進み、タイムオーバーしていないと、Ｓ３５６に進む。
【０１４０】
Ｓ３７２では、初期識別信号の受信タイマＴ１に３５秒をセットし、Ｓ３７４では、タイマＴ３に２０秒をセットする。
【０１４１】
Ｓ３７６では、信号線１３０ａの情報を入力し、リングバックトーンの受信がないかを判断し、リングバックトーン信号の受信がないと、上述のＳ３６０に進む。
【０１４２】
また、リングバックトーン信号の受信があるとＳ３７８に進み、初期識別信号の受信タイマＴ１に３５秒をセットする。次に、Ｓ３８０では、タイマＴ３がタイムオーバーしたか否かを判断し、タイムオーバーするとＳ３８２でＳ３０２に進み、タイムオーバーしていないと上述のＳ３７６に進む。
【０１４３】
次に、本発明の第５実施例について説明する。
【０１４４】
図１９は、本発明の第５実施例によるファクシミリ装置の構成を示すブロック図である。
【０１４５】
ＮＣＵ（網制御装置）２０２は、電話網をデータ通信等に使用するために、その回線の端末に接続し、電話交換網の接続制御を行ったり、データ通信路への切換えを行ったり、ループの保持を行うものである。また、ＮＣＵ２０２は、制御回路２２０からの信号（信号線２２０ａ）が「０」であれば、電話回線２０２ａを信号線２０２ｂに接続し、信号が「１」であれば、電話回線２０２ａを信号線２０２ｃに接続し、信号が「２」であれば、電話回線２０２ａを信号線２０２ｄに接続するものである。
【０１４６】
ここで、信号線２０２ｄ側は、ハイインピーダンスで直流ループは断であり、信号線２０２ｃ側は、交流的に６００Ω、直流的に２００Ωで、直流ループは形成している。
【０１４７】
端末装置２０４は、信号線２２２ｂを介してファクシミリ装置に接続されるものである。
【０１４８】
ハイブリッド回路２０６は、送信系の信号と受信系の信号とを分離し、加算回路２１２からの送信信号をＮＣＵ２０２経由で、電話回線２０２ａに送出し、相手側からの信号をＮＣＵ２０２経由で受取り、信号線２０６ａ経由で、変復調器２０８に送るものである。
【０１４９】
変復調器２０８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２２０ｃにより、各伝送モードが指定される。この変復調器２０８は、信号線２２０ｂに出力されている信号を入力し、変調データを信号線２０８ａに出力し、信号線２０６ａに出力されている受信信号を入力し、復調データを信号線２０８ｂに出力する。
【０１５０】
ＡＮＳａｍ送出回路２１０は、ＡＮＳａｍ信号を送出する回路であり、信号線２２０ｄに信号レベル「１」の信号が出力されている時には、信号線２１０ａにＡＮＳａｍ信号を送出し、信号線２２０ｄに信号レベル「０」の信号が出力されている時には、信号線２１０ａに何も信号を出力しない。
【０１５１】
加算回路２１２は、信号線２０８ａの情報と信号線２１０ａの情報とを入力し、加算した結果を信号線２１２ａに出力するものである。読取回路２１４は、原稿の画像を読取り、この読取り画像データを信号線２１４ａに出力するものである。記録回路２１６は、信号線２２０ｅに出力されている情報を順次１ライン毎に記録するものである。
【０１５２】
メモリ回路２１８は、読取りデータの生情報、あるいは、符号化した情報を格納したり、また、受信情報、あるいは、復号化した情報等を格納するために使用する。
【０１５３】
応答検出回路２２２は、端末装置２０４の応答を検出するものであり、信号線２０２ｂと信号線２２２ｂの間に流れる電流値を検出し、電流が流れている、すなわち、直流ループを形成している、すなわち端末装置が応答していると、信号線２２２ａに信号レベル「１」の信号を出力し、電流が流れていない、すなわち、直流ループを形成していない、すなわち端末装置が応答していないと、信号線２２２ａに信号レベル「０」の信号を出力する。
【０１５４】
トランス回路２２４は、信号線２０２ｂの信号を信号線２２４ａに出力する。ここで、信号線２２２ｂに対してのインピーダンスは高いものとする。
【０１５５】
呼出信号検出回路２２６は、呼出信号を検出するものであり、信号線２２０ｆに信号レベル「０」の信号が出力されている場合には、信号線２０２ｄの情報を入力し、信号線２２０ｆに信号レベル「１」の信号が出力されている場合には、信号線２２２ｂの情報を入力し、呼出信号（１６Ｈｚの７５Ｖｒｍｓで、１秒オン、２秒オフの繰り返し信号）を検出していると、信号線２２６ａに信号レベル「１」の信号を出力し、呼出信号を検出していないと、信号線２２６ａに信号レベル「０」の信号を出力する。
【０１５６】
電話番号検出回路２２８は、呼出間の電話番号を検出するものであり、信号線２２０ｆに信号レベル「０」の信号が出力されている場合には、信号線２０２ｄの情報を入力し、信号線２２０ｆに信号レベル「１」の信号が出力されている場合には、信号線２２２ｂの情報を入力し、呼出信号間の電話番号情報を検出し、信号線２２８ａに出力する。
【０１５７】
ＩＤ受信端末起動信号検出回路２３０は、ＩＤ受信端末起動信号（１６Ｈｚの７５Ｖｒｍｓで０．５秒オン、０．５秒オフの繰り返し信号）を検出するものであり、信号線２２０ｆに信号レベル「０」の信号が出力されている場合には、信号線２０２ｄの情報を入力し、信号線２２０ｆに信号レベル「１」の信号が出力されている場合には、信号線２２２ｂの情報を入力し、ＩＤ受信端末起動信号を検出していると、信号線２３０ａに信号レベル「１」の信号を出力し、ＩＤ受信端末起動信号を検出していないと、信号線２３０ａに信号レベル「０」の信号を出力する。
【０１５８】
発ＩＤ信号検出回路２３２は、発ＩＤ信号を検出するものであり、信号線２２０ｆに信号レベル「０」の信号が出力されている場合には、信号線２０６ａの情報を入力し、信号線２２０ｆに信号レベル「１」の信号が出力されている場合には、信号線２２４ａの情報を入力し、ＩＴＵ−Ｔ勧告のＶ．２３復調した情報を信号線２３２ａに出力する。
【０１５９】
ＣＮＧ信号検出回路２３４は、ＣＮＧ信号を検出するものであり、信号線２２０ｆに信号レベル「０」の信号が出力されている場合には、信号線２０６ａの情報を入力し、信号線２２０ｆに信号レベル「１」の信号が出力されている場合には、信号線２２４ａの情報を入力し、ＣＮＧ信号を検出していると、信号線２３４ａに信号レベル「１」の信号を出力し、ＣＮＧ信号を検出していないと、信号線２３４ａに信号レベル「０」の信号を出力する。
【０１６０】
登録回路２３６は、信号線２３６ａを介してファクシミリ通信をする発呼先の電話番号を登録する回路である。
【０１６１】
登録回路２３８は、信号線２３８ａを介して接続する端末装置２０４が発信電話番号通知サービスに対応しているか否かを登録する回路である。
【０１６２】
設定回路２４０は、発信電話番号通知サービスのタイプを設定する回路であり、タイプＡ、すなわち、米国、欧州仕様の設定であると信号線２４０ａに信号レベル「０」の信号を出力し、タイプＢ、すなわち、日本国仕様の設定であると信号線２４０ａに信号レベル「１」の信号を出力する。
【０１６３】
操作部２４２は、ワンタッチダイヤル、短縮ダイヤル、テンキー、＊キー、＃キー、スタートキー、セットキー、登録回路２３６、２３８への登録キー、その他のファンクションキーを有し、押下されたキー情報は信号線２４２ａに出力される。
【０１６４】
制御回路２２０は、この第５実施例において、上述した設定回路２４０の設定に基づいて、着信時の制御を変えるものであり、具体的には、前記設定回路２４０の設定がタイプＡの設定である場合、端末装置２０４が発信電話番号通知サービスに対応しているか否かとは無関係に電話回線を端末装置２０４に接続しない状態で呼出信号を検出する状態とし、呼出信号を検出するとともに発信電話番号を検出し、その電話番号がファクシミリ通信をする宛先であれば、呼接続してファクシミリ通信に移行し、その電話番号がファクシミリ通信をする宛先でない、あるいは呼出信号間に発信電話番号がないと、電話回線を端末装置２０４に接続し、端末装置２０４が応答した場合に、所定時間以内にＣＮＧ信号を検出するとファクシミリ通信へ移行し、また、端末装置２０４が所定時間以内に応答しない場合には、呼接続してファクシミリ通信を試みる。
【０１６５】
また、前記設定回路２４０の設定がタイプＢの設定である場合、端末装置２０４が発信電話番号通知サービスに対応しているときには、電話回線を端末装置２０４に接続した状態で、ＩＤ受信端末起動信号を検出し、端末装置２０４が応答した場合は、発ＩＤ信号を検出し、ファクシミリ通信する発ＩＤ信号であれば、電話回線を端末装置２０４から切り離した後、直流ループを断し、その後の呼出信号に応答してファクシミリ通信に移行し、前記ＩＤ受信端末起動信号に端末装置が応答しない場合は、所定時間経過後にファクシミリ装置が１次応答し、発ＩＤ信号を受信して直流ループを断し、呼出信号に対する２次応答を行ってファクシミリ通信を試み、ファクシミリ通信する発ＩＤ信号でないと、端末装置２０４の直流ループを断して呼出信号を検出し、端末装置２０４の応答後、ＣＮＧ信号の検出によってファクシミリ通信に移行し、一方、端末装置２０４が発信電話番号通知サービスに対応していないときには、電話回線を端末装置２０４に接続しない状態でＩＤ受信端末起動信号の受信を行い、実際にＩＤ受信端末起動信号を検出すると、１次応答して発ＩＤ信号を検出し、ファクシミリ通信する発ＩＤ信号であれば、直流ループを断し、その後の呼出信号に応答してファクシミリ通信を開始し、ファクシミリ通信する発ＩＤ信号でないと、電話回線を端末装置２０４に接続して直流ループを断し、呼出信号に対して端末装置２０４の応答を監視し、所定時間以内に応答しない場合は、ファクシミリ通信を試みる。
【０１６６】
図２０〜図２５は、このような第５実施例における制御回路２２０の制御の具体例を示すフローチャートである。
【０１６７】
まず、Ｓ４００で動作を開始し、Ｓ４０２では、信号線２２０ｄに信号レベル「０」の信号を出力してＡＮＳａｍ信号を送出しない状態とする。
【０１６８】
Ｓ４０４では、信号線２４０ａの情報を入力し、発信電話番号通知サービスのタイプ設定を判断し、サービスタイプＡ設定であるとＳ４０６に進み、サービスタイプＢ設定であるとＳ４２２に進む。
【０１６９】
Ｓ４０６では、信号線２２０ａに信号「２」を出力し、信号線２０２ａを信号線２０２ｄに接続する。Ｓ４０８では、信号線２２０ｆに信号レベル「０」の信号を出力し、回路２２６、２２８、２３０は、信号線２０２ｄの信号を入力し、回路２３２、２３４は、信号線２０６ａの信号を入力する設定とする。
【０１７０】
Ｓ４１０では、信号線２２６ａの情報を入力し、呼出信号を検出したか否かを判断し、呼出信号を検出するとＳ４３６に進み、呼出信号を検出していないとＳ４１２に進む。
【０１７１】
Ｓ４１２では、信号線２４２ａの情報を入力し、回路２３６への登録が選択されたか否かを判断し、選択されるとＳ４１４に進み、信号線２３６ａを介してファクシミリ通信をする宛先を回路２３６に登録し、Ｓ４１６に進む。また、Ｓ４１２で選択されていないと、そのままＳ４１６に進む。
【０１７２】
Ｓ４１６では、信号線２４２ａの情報を入力し、回路２３８への登録が選択されたか否かを判断し、選択されるとＳ４１８に進み、信号線２３８ａを介して接続している端末装置が発信電話番号通知サービスに対応しているか否かを回路２３８に登録し、Ｓ４２０に進む。また、Ｓ４１６で選択されていないと、そのままＳ４２０に進む。Ｓ４２０では、その他の処理を行い、Ｓ４０２に進む。
【０１７３】
また、Ｓ４２２では、信号線２３８ａの情報を入力し、接続している端末装置２０４が発信電話番号通知サービスに対応しているか否かを判断し、対応しているとＳ４２４に進み、対応していないとＳ４３０に進む。
【０１７４】
Ｓ４２４では、信号線２２０ａに信号「０」を出力し、信号線２０２ａを信号線２０２ｂに接続する。Ｓ４２６では、信号線２２０ｆに信号レベル「１」の信号を出力し、回路２２６、２２８、２３０は、信号線２２２ｂの信号を入力し、回路２３２、２３４は、信号線２２４ａの信号を入力する設定とする。
【０１７５】
次に、Ｓ４２８では、信号線２３０ａの情報を入力し、ＩＤ受信端末起動信号を検出したか否かを判断し、検出するとＳ４６６に進み、検出していないとＳ４１２に進む。
【０１７６】
Ｓ４３０では、信号線２２０ａに信号「２」を出力し、信号線２０２ａを信号線２０２ｄに接続する。Ｓ４３２では、信号線２２０ｆに信号レベル「０」の信号を出力し、回路２２６、２２８、２３０は、信号線２０２ｄの信号を入力し、回路２３２、２３４は、信号線２０６ａの信号を入力する設定とする。
【０１７７】
Ｓ４３４では、信号線２３０ａの情報を入力し、ＩＤ受信端末起動信号を検出したか否かを判断し、検出するとＳ４８４に進み、検出していないとＳ４１２に進む。
【０１７８】
また、Ｓ４３６では、信号線２２８ａの情報を入力し、呼出信号間の電話番号を検出したか否かを判断し、検出していないとＳ４４８に進み、検出するとＳ４３８に進む。
【０１７９】
Ｓ４３８では、回路２３６の情報を入力し、今検出した呼出信号間の電話番号の宛先はファクシミリ通信をする宛先であるか否かを判断し、ファクシミリ通信をする宛先であるとＳ４４０に進み、ファクシミリ通信をする宛先でないとＳ４４８に進む。
【０１８０】
Ｓ４４０では、信号線２２０ａに信号「１」を出力し、信号線２０２ａを信号線２０２ｃに接続する。そして、Ｓ４４２では前手順、Ｓ４４４では画信号の受信／記録、Ｓ４４６では後手順を順に行い、Ｓ４０２に進む。
【０１８１】
また、Ｓ４４８では、信号線２２０ａに信号「０」を出力し、信号線２０２ａを信号線２０２ｂに接続する。そして、Ｓ４５０では、タイマＴ２に４０秒をセットする。
【０１８２】
次に、Ｓ４５２では、信号線２２２ａの情報を入力し、端末装置２０４が応答したか否かを判断し、応答していないとＳ４６４に進み、応答するとＳ４５３に進む。
【０１８３】
Ｓ４５３では、信号線２２０ｆに信号レベル「１」の信号を出力し、回路２２６、２２８、２３０は、信号線２２２ｂの信号を入力し、回路２３２、２３４は、信号線２２４ａの信号を入力する設定とする。そして、Ｓ４５４は、タイマＴ２に５秒をセットする。
【０１８４】
次に、Ｓ４５６、Ｓ４５８では、信号線２３４ａの信号を入力し、タイマＴ２がタイムオーバーする以前にＣＮＧ信号を検出したか否かを判断し、ＣＮＧ信号を検出するとＳ４４０に進む。
【０１８５】
また、Ｓ４５８でタイマＴ２がタイムオーバーすると、Ｓ４６０に進み、端末装置２０４の動作を監視する。そして、Ｓ４６２では、信号線２２２ａの情報を入力し、端末装置２０４が直流ループを開放したか否かを判断し、開放していないとＳ４６０に進み、開放するとＳ４０２に進む。
【０１８６】
また、Ｓ４６４では、タイマＴ２がタイムオーバーしたか否かを判断し、タイムオーバーしていないとＳ４５２に進み、タイムオーバーするとＳ４４０に進み、ファクシミリ通信を試みる。
【０１８７】
また、Ｓ４６６では、タイマＴ２に４０秒をセットする。そして、Ｓ４６８では、信号線２２２ａの情報を入力し、端末装置２０４が応答したか否かを判断し、応答するとＳ４７２に進み、応答していないとＳ４７０に進む。
【０１８８】
Ｓ４７０では、タイマＴ２がタイムオーバーしたか否かを判断し、タイムオーバーしていないとＳ４６８に進み、タイムオーバーするとＳ４８０に進む。
【０１８９】
また、Ｓ４７２では、信号線２３２ａの情報を入力し、発ＩＤ信号の受信を行う。そして、Ｓ４７４では、回路２３６の情報を入力し、発ＩＤ信号はファクシミリ通信をする宛先であるか否かを判断し、ファクシミリ通信をする宛先であるとＳ４７６に進み、ファクシミリ通信をする宛先でないとＳ４７５に進み、端末装置２０４の直流ループの断、呼出信号を検出し、Ｓ４５０に進む。
【０１９０】
また、Ｓ４７６では、信号線２２０ａに信号「２」を出力し、信号線２０２ａを信号線２０２ｄに接続し、直流ループを断する。そして、Ｓ４７８では、信号線２２６ａの情報を入力し、呼出信号を検出したか否かを判断し、検出するとＳ４４０に進む。
【０１９１】
また、Ｓ４８０では、信号線２２０ａに信号「１」を出力し、信号線２０２ａを信号線２０２ｃに接続し、１次応答をする。そして、Ｓ４８１では、信号線２２０ｆに信号レベル「０」の信号を出力し、回路２２６、２２８、２３０は、信号線２０２ｄの信号を入力し、回路２３２、２３４は、信号線２０６ａの信号を入力する設定とする。さらに、Ｓ４８２では、信号線２３２ａの情報を入力し、発ＩＤ信号の受信を行い、Ｓ４７６に進む。
【０１９２】
また、Ｓ４８４では、信号線２２０ａに信号「１」を出力し、信号線２０２ａを信号線２０２ｃに接続し、１次応答をする。そして、Ｓ４８６では、信号線２３２ａの情報を入力し、発ＩＤ信号の受信を行う。さらに、Ｓ４８８では、回路２３６の情報を入力し、発ＩＤ信号はファクシミリ通信をする宛先であるか否かを判断し、ファクシミリ通信をする宛先であるとＳ４７６に進む。
【０１９３】
また、Ｓ４８８でファクシミリ通信をする宛先でないとＳ４９０に進み、信号線２２０ａに信号「０」を出力し、信号線２０２ａを信号線２０２ｂに接続し、直流ループの断を作成する。
【０１９４】
【発明の効果】
以上説明したように、第１の発明によれば、外部端末装置が発信電話番号通知サービスに対応するか否かに応じて、ファクシミリ装置に外部接続する外部端末装置にも発信電話番号通知サービスにより通知された電話番号情報を通知でき、外部端末装置間に適した呼制御を行うことができるという効果がある。
【０１９８】
また、第２の発明によれば、例えば、着呼側ファクシミリ装置が発信電話番号通知サービスを実行している場合に、ダイヤル終了後の初期識別時間を通常の３０〜４０秒間より長い、例えば１分間とすることが可能になり、呼接続における通信エラー発生を防止することができる。しかも、着呼側ファクシミリ装置が発信電話番号通知サービスを実行していない場合は、従来通りの制御が可能であるという効果がある。
【０１９９】
また、第３の発明によれば、外部端末装置が発信電話番号通知サービスに対応するか否かに応じて、ファクシミリ装置に外部接続する外部端末装置とファクシミリ装置とで、発信電話番号通知サービスにより通知された電話番号情報を共有できるという効果がある。
【図面の簡単な説明】
【図１】本発明の第１、第２実施例を示すブロック図である。
【図２】上記第１実施例の動作を示すフローチャートである。
【図３】上記第１実施例の動作を示すフローチャートである。
【図４】上記第１実施例の動作を示すフローチャートである。
【図５】上記第１実施例の動作を示すフローチャートである。
【図６】上記第１実施例の動作を示すフローチャートである。
【図７】上記第１実施例の動作を示すフローチャートである。
【図８】上記第２実施例の動作を示すフローチャートである。
【図９】上記第２実施例の動作を示すフローチャートである。
【図１０】上記第２実施例の動作を示すフローチャートである。
【図１１】上記第２実施例の動作を示すフローチャートである。
【図１２】上記第２実施例の動作を示すフローチャートである。
【図１３】上記第２実施例の動作を示すフローチャートである。
【図１４】本発明の第３、第４実施例を示すブロック図である。
【図１５】上記第３実施例の動作を示すフローチャートである。
【図１６】上記第３実施例の動作を示すフローチャートである。
【図１７】上記第３実施例の動作を示すフローチャートである。
【図１８】上記第４実施例の動作を示すフローチャートである。
【図１９】本発明の第５実施例を示すブロック図である。
【図２０】上記第５実施例の動作を示すフローチャートである。
【図２１】上記第５実施例の動作を示すフローチャートである。
【図２２】上記第５実施例の動作を示すフローチャートである。
【図２３】上記第５実施例の動作を示すフローチャートである。
【図２４】上記第５実施例の動作を示すフローチャートである。
【図２５】上記第５実施例の動作を示すフローチャートである。
【符号の説明】
２、１０２、２０２…ＮＣＵ、
６、１０６、２０６…ハイブリッド回路、
８、１０８、２０８…変復調器、
１０、１１０、２１０…ＡＮＳａｍ送出回路、
１２、１１２、２１２…加算回路、
１４、１１４、２１４…読取回路、
１６、１１６、２１６…記録回路、
１８、１１８、２１８…メモリ回路、
２０、１２０、２２０…制御回路、
２２、２３０…ＩＤ受信端末起動信号検出回路、
２４、２２６…呼出信号検出回路、
２６、２３２…発ＩＤ信号検出回路、
２８、１２４、２４２…操作部、
３０、３２、３４、３６、３８、４０、１２６、１２８、２３６、２３８…登録回路、
４２…発ＩＤ信号記憶回路、
４４…発ＩＤ信号送出回路、
４６…ＩＤ受信端末起動信号送出回路、
５０、５２、５４、２０４…端末装置、
１３０…リングバックトーン、
２２２…応答検出回路、
２２４…トランス回路、
２２８…電話番号検出回路、
２３４…ＣＮＧ信号検出回路、
２４０…サービス設定回路。
【図１】
0003604813.tif 000002
【図２】
0003604813.tif 000003
【図３】
0003604813.tif 000004
【図４】
0003604813.tif 000005
【図５】
0003604813.tif 000006
【図６】
0003604813.tif 000007
【図７】
0003604813.tif 000008
【図８】
0003604813.tif 000009
【図９】
0003604813.tif 000010
【図１０】
0003604813.tif 000011
【図１１】
0003604813.tif 000012
【図１２】
0003604813.tif 000013
【図１３】
0003604813.tif 000014
【図１４】
0003604813.tif 000015
【図１５】
0003604813.tif 000016
【図１６】
0003604813.tif 000017
【図１７】
0003604813.tif 000018
【図１８】
0003604813.tif 000019
【図１９】
0003604813.tif 000020
【図２０】
0003604813.tif 000021
【図２１】
0003604813.tif 000022
【図２２】
0003604813.tif 000023
【図２３】
0003604813.tif 000024
【図２４】
0003604813.tif 000025
【図２５】
0003604813.tif 000026